(57)【要約】【課題】横引き管路内の天面側での尿石や汚れの定着を効率よく低運転コストで抑制できる排水システムを提供する。【解決手段】本排水システムは、小便器１に直結された排出管５と、排出管５の下流端部５ａが接続された横引き管路１０とを有した排水システムであって、排出管５は、横引き管路１０に対し、下流端部５ａから流れる汚水の出口端面６が横引き管路１０の内面よりも下方に突出するように接続されている。【選択図】図１
2020012284.tif 000002
【特許請求の範囲】
【請求項１】
小便器に直結された排出管と、該排出管の下流端部が接続された横引き管路とを有した排水システムであって、
前記排出管は、前記横引き管路に対し、前記下流端部から流れる汚水の出口端面が前記横引き管路の内面よりも下方に突出するように接続されていることを特徴とする排水システム。
【請求項２】
請求項１において、
前記横引き管路からの排水を流す縦排水管が形成されており、
前記横引き管路の下流部は、管路内面のすくなくとも下側面が降下傾斜するように前記縦排水管に接続されていることを特徴とする排水システム。
【発明の詳細な説明】
【技術分野】
【０００１】
本発明は、小便器に直結された排出管と、該排出管の下流端部が接続された横引き管路とを有した排水システムに関する。
【背景技術】
【０００２】
この種の排水システムでは、ビルなどの建物における同一階に設けられた複数の小便器から流れる汚水は、それぞれの排出管と、その下方に設けられた横引き管路とを通じて、その建物に設けられた縦排水管などの排水受部に排出されるようになっている。横引き管路は横方向の配管であるため、水の流れが悪くなり滞留するおそれがあり、そのため管内に残った尿に起因して尿石として堆積することがある。
【０００３】
このように尿石などの汚れの管路内への付着を抑制するために、横引き管路に、薬剤を混入した洗浄水を流したり、大量の洗浄水を流したりする方法が提案されている。特許文献１には、定期的に洗浄水の流量を増加することが提案されている。
【先行技術文献】
【特許文献】
【０００４】
【特許文献１】特開２０１３−１５５５２３号公報
【発明の概要】
【発明が解決しようとする課題】
【０００５】
しかしながら、上記従来の方法では、薬剤や多くの洗浄水を必要とするため、運転コストが嵩むおそれがある。また、そもそもこれらの薬剤や洗浄水は、横引き管路内の内底面側を流れるため内底面側の洗浄には役立つが、排出管からの汚水が伝いやすく滞留しやすい天面側に発生した尿石や汚れに対しては、ほとんど役に立たない。
【０００６】
本発明は、このような事情を考慮して提案されたもので、その目的は、横引き管路内の天面側での尿石や汚れの定着を効率よく低運転コストで抑制できる排水システムを提供することにある。
【課題を解決するための手段】
【０００７】
上記目的を達成するために、本発明の排水システムは、小便器に直結された排出管と、該排出管の下流端部が接続された横引き管路とを有した排水システムであって、前記排出管は、前記横引き管路に対し、前記下流端部から流れる汚水の出口端面が前記横引き管路の内面よりも下方に突出するように接続されていることを特徴とする。
【発明の効果】
【０００８】
本発明の排水システムは上述した構成とされているため、横引き管路内の天面側での尿石や汚れの定着を効率よく低運転コストで抑制することができる。
【図面の簡単な説明】
【０００９】
【図１】本発明の一実施形態に係る排水システムの概略システム系統図である。
【図２】小便器ごとの排出管と横引き管路の接続態様（図１のＡ部に相当する部分）の説明図である。（ａ）はその接続に用いられるジョイント部材の縦断面図、（ｂ）はそのジョイント部材を用いた接続態様を示す縦断面図である。
【図３】横引き管路と縦排水管の接続態様を示す縦断面図である。
【発明を実施するための形態】
【００１０】
以下に、本発明の実施の形態について、添付図面をもとに説明する。
まず、本排水システムの概略基本構成について説明する。
【００１１】
本排水システムは、小便器１に直結された排出管５と、排出管５の下流端部５ａが接続された横引き管路１０とを有したシステムである。排出管５は、横引き管路１０に対し、下流端部５ａから流れる汚水の出口端面６が横引き管路１０の内面よりも下方に突出するように接続されている。
【００１２】
ここで、本実施形態における横引き管路１０は、１本の管状体よりなるものではなく、複数の分割横引き管１１をジョイント部材（横ジョイント部材１５）で接続して構成されたものである。よって、横ジョイント部材１５の本体部１５ａも、汚水が流れる横引き管路１０の一部とされる。
【００１３】
以下、小便器１および本排水システムについて、図１〜図３にもとづいて詳細に説明する。なお本実施形態では、排水システムをビル等の建物の各階に設けた場合の任意の階の例を示しており、図１に示すように、すべての小便器１から排出管５を通じて排出される汚水は、横引き管路１０を通じて、上下に通じる縦排水管２０に排出される。また、図１には、水の流れを模式的に矢印で図示した。
【００１４】
小便器１は、複数便器に共通の給水路２を通じて洗浄水が供給されるように、個々の分岐路３を介して給水路２に接続されている。また、小便器１は、汚水（尿や洗浄水）を、複数便器に共通の横引き管路１０に排出するために、個々の排出管５を介して横引き管路１０に接続されている。この横引き管路１０は下流に向けて下り傾斜しており、縦排水管２０にジョイント部材（縦ジョイント部材２５）を介して接続されている。
【００１５】
小便器１は、ボウル部１ａと、分岐路３に接続された給水部１ｂと、排出管５に接続された排出部１ｃとを備えている。この給水部１ｂは、給水路２より分岐路３を介して送られてきた洗浄水を、ボウル部１ａの内面に沿わせるように吐出するスプレッダー等の吐出部を備えている。また排出部１ｃは、トラップ部を構成し、汚水を排出管５に流し出す構成とされている。
【００１６】
また、分岐路３には給水弁４が配されており、個々の小便器１ごとに、洗浄操作によりまたはセンサー動作により給水弁４を開放させることで、小便器１のボウル部１ａに給水できるようになっている。
【００１７】
これらの小便器１ごとに設けられた排出管５は、上述したように横引き管路１０に接続され、その横引き管路１０は下流側において、縦排水管２０に接続されている。したがって、複数の小便器１から排出される汚水（尿および洗浄水）は縦排水管２０に排出される。
【００１８】
本排水システムでは、図１で模式的に示したように、小便器１ごとの排出管５は横引き管路１０に対して、排出管５の下流端部５ａが横引き管路１０の管内に突出するように接続されている。具体的には、この接続部分には、図２（ａ）（ｂ）に示すような横引き管路１０用のジョイント部材（横ジョイント部材１５）が用いられている。
【００１９】
横ジョイント部材１５は、３方向に別体の管を連結する三又状の分岐管状継手とされ、分割された分割横引き管１１を直線状に連結する２つの連結口１５ｂと、排出管５を接続する接続口１５ｃとを備えている。これら３個所の口では接続対象の管と螺合または接着にて接続されることが望ましい。なお、図２（ａ）（ｂ）では、ねじ部およびパッキンの図示は省略してある。
【００２０】
図２（ａ）（ｂ）に示すように、連結口１５ｂは本体部１５ａの中央部よりも径大とされる。また、本体部１５ａの内面は、分割横引き管１１を接続した状態で、分割横引き管１１（図２（ｂ）中の左側のもの）、横ジョイント部材１５、分割横引き管１１（図２（ｂ）中の右側のもの）の連続する内面が面一となるように形成されている。つまり、横ジョイント部材１５の本体部１５ａは、略円筒体の両端に径大の連結口１５ｂを付加した形状とされる。
【００２１】
また、接続口１５ｃは本体部１５ａの長手方向の略中央の周面の一部にバーリング加工様に環状の口（フランジ）が突出形成されたもので、その接続口１５ｃに排出管５が内嵌されている。排出管５の下流端部５ａ（出口端部）の出口端面６は、横引き管路１０つまり横ジョイント部材１５の本体部１５ａの内部に位置するように突出している。
【００２２】
なお、出口端面６の高さ位置は、すくなくとも横引き管路１０の内部の天面１０ａよりも下方であればよい。本体部１５ａが円筒状であるから、出口端面６が本体部１５ａの湾曲した内面に接触しないように出口端面６を配すればよい。ようするに、排出管５から流れ出る汚水が表面張力で本体部１５ａの内面（天面１０ａ）に伝わらない程度に、下流端部５ａが下方に突出していることが望ましい。また、横引き管路１０の内底面１０ｂ側を流れる汚水の適正な量が、例えば管断面の下側１／３程度であると想定すれば、出口端面６の高さ位置は、内径の中心位置よりも上方側であることが望ましい。
【００２３】
排出管５と横引き管路１０とはこのような接続形態であるから、排出管５から横引き管路１０へ流れる汚水が横引き管路１０の天面１０ａ側に伝わることを回避でき、汚水のほとんどを下方の内底面１０ｂ側に落下させることができる。したがって、横引き管路１０の、汚水が流れることがほとんどない天面１０ａ側に、汚水による汚れが付着したり、尿石が定着したりすることを効率よく抑止することができる。また、本システムは洗浄水を多く使用する方法ではないため、運転コストが上がるおそれもない。
【００２４】
なお、排出管５の下流端部５ａからの汚水は、横引き管路１０（横ジョイント部材１５の本体部１５ａ）の内面側に突出させたフランジの下端から横引き管路１０に流出するような接続形態としてもよい。ようするに、どのような接続形態であってもよいが、排出管５から流れ落ちる汚水の出口端面６が横引き管路１０内の天面１０ａから下方に離れた高さ位置にあればよい。
【００２５】
ついで、横引き管路１０と縦排水管２０の接続形態について、図１および図３を参照しながら説明する。
【００２６】
横引き管路１０と縦排水管２０との接続については、図１および図３に示すような縦排水管２０用のジョイント部材（縦ジョイント部材２５）が用いられている。
【００２７】
縦ジョイント部材２５は、３方向に別体の管を連結する三又状の分岐管状継手とされ、分割された分割縦排水管２１を直線状に連結する２つの連結口２５ｂと、横引き管路１０（分割横引き管１１）を接続する接続口２５ｄとを備えている。これら３個所の口では接続対象の管と螺合または接着にて接続されることが望ましい。なお、図３では、ねじ部およびパッキンの図示は省略してある。
【００２８】
図３に示すように、連結口２５ｂは本体部２５ａの中央部よりも径大とされる。また、本体部２５ａの内面は、分割縦排水管２１を接続した状態で、分割縦排水管２１（図中上側のもの）、縦ジョイント部材２５、分割縦排水管２１（図中下側のもの）の連続する内面が面一となるように形成されている。つまり、縦ジョイント部材２５の本体部２５ａは略円筒状の両端に径大の連結口２５ｂを付加した形状とされる。
【００２９】
また、接続口２５ｄは本体部２５ａの長手方向の略中央の周面の一部に山形状の突出基部２５ｅを介して形成されており、その接続口２５ｄに分割横引き管１１が内嵌されている。
【００３０】
図３に示すように、突出基部２５ｅは接続口２５ｄよりも径大とされ、突出基部２５ｅと接続口２５ｄとを含む突出部２５ｃは、本体部２５ａの外面より接続口２５ｄに向けて徐々に径小となるようにテーパー形状に形成されている。また、縦ジョイント部材２５の突出部２５ｃの内面は、外形の先細り形状に合致するように、横引き管路１０から縦排水管２０にかけて湾曲状に降下傾斜している。このように、横引き管路１０の下流部１３は、管路内面のすくなくとも下側面２６が降下傾斜するように縦排水管２０に接続されていることが望ましい。
【００３１】
横引き管路１０と縦排水管２０とはこのような接続形態であるから、横引き管路１０から流れ出る汚水や横引き管路１０に混入した体毛などのごみを滞留させることなく、スムーズに縦排水管２０へ排出させることができる。このように、横引き管路１０の縦排水管２０への内面側の接続部分は汚水やごみが滞留しにくい形状となっているため、その部分での尿石や汚れの付着を効率的に抑止することができる。また、洗浄水を多く使用する方法ではないため、高運転コストとなるおそれもない。
【００３２】
なお、突出部２５ｃの内面の下側面２６がすくなくとも降下傾斜形状であればよいが、本実施形態で用いている縦ジョイント部材２５のようにテーパー形状としてもよい。
【００３３】
以上には、横ジョイント部材１５、縦ジョイント部材２５を用いた構成を例示したが、これには限られず、このようなジョイント部材を用いない構成であってもよい。
【符号の説明】
【００３４】
１          小便器
５          排出管
５ａ        下流端部
６          出口端面
１０        横引き管路
１３        下流部
２０        縦排水管
２６        下側面
【図１】
2020012284.tif 000003
【図２】
2020012284.tif 000004
【図３】
2020012284.tif 000005